(57)【要約】  本発明は、Ｕ字形底部（５）と、Ｕ字底部の開口部を閉鎖し、磁石を有する保持部（６）とからなる容器ホルダ（１）に関する。Ｕ字形底部を向く保持部（６）の第１の側面（７）に締め付け可能であり、５０ｍｌまでの充填量を有する容器（２）は、バイアル（３）と、鉄系金属が配置された閉塞部（４）とからなる。
2019527167.tif 000002
【特許請求の範囲】
【請求項１】
レセプタクルホルダ（１）であって、
Ｕ字形ベース部（５）と、前記Ｕ字形ベース部の開口部を閉鎖するホルダ部（６）とからなり、前記ホルダ部（６）が磁石を備え、
バイアル（３）および閉鎖部（４）からなる、充填レベルが５０ｍｌまでのレセプタクル（２）を備える、レセプタクルホルダにおいて、
鉄金属が前記閉鎖部（４）内に配置され、前記レセプタクル（２）が、前記Ｕ字形ベース部の方を向く前記ホルダ部（６）の第１の側面（７）上に配置可能であることを特徴とする、レセプタクルホルダ。
【請求項２】
前記鉄金属が、前記閉鎖部（４）の頂部に配置されることを特徴とする、請求項１に記載のレセプタクルホルダ（１）。
【請求項３】
前記Ｕ字形ベース部（５）が、前記ホルダ部（６）とは異なる材料からなることを特徴とする、請求項１または２に記載のレセプタクルホルダ（１）。
【請求項４】
前記ホルダ部（６）が、別の物体のための保持凹部（８）を別の側面（１０）上に含むことを特徴とする、請求項１から３のいずれか一項に記載のレセプタクルホルダ（１）。
【請求項５】
前記別の物体が、前記鉄金属を含むか、または前記鉄金属からなるブラシおよび／または医療器具であることを特徴とする、請求項４に記載のレセプタクルホルダ（１）。
【請求項６】
前記Ｕ字形ベース部（５）と前記ホルダ部（６）との間の距離が、前記閉鎖部（４）の頂部と前レセプタクル（２）の前記バイアル（３）のベースとの間の距離より大きいことを特徴とする、請求項１から５のいずれか一項に記載のレセプタクルホルダ（１）。
【請求項７】
前記磁石が、前記ホルダ部（６）内に配置され、前記ホルダ部（６）は、非鉄材料からなることを特徴とする、請求項１から６のいずれか一項に記載のレセプタクルホルダ（１）。
【請求項８】
前記ホルダ部（６）の方を指す前記Ｕ字形ベース部（５）の表面（９）が、反射性であることを特徴とする、請求項１から７のいずれか一項に記載のレセプタクルホルダ（１）。
【請求項９】
前記磁石の力が、前記閉鎖部（４）の前記鉄金属と相互作用することを特徴とする、請求項１から８のいずれか一項に記載のレセプタクルホルダ（１）。
【請求項１０】
前記Ｕ字形ベース部（５）が、広くなったベースと、２つの先細にされたアームとからなることを特徴とする、請求項１から９のいずれか一項に記載のレセプタクルホルダ（１）。
【発明の詳細な説明】
【技術分野】
【０００１】
本発明は、請求項１のプリアンブルに記載のレセプタクルホルダに関する。
【背景技術】
【０００２】
磁石を用いて種々の物体を保持または固着する種々のレセプタクルが、従来技術から知られている。これに関して、以下の文書が関連する。
−独国特許出願公開第１９７３７７６８Ａ１号明細書；この文献では、無線デジタイザのピン用の磁気保持装置が開示される。
−独国実用新案２０２０１２１３０６６Ｕ１号明細書：この文献では、いくつかの凹部および磁石を有するトレイ様の基体が設けられる、小型の医療器具用の保持装置が開示される。
−米国特許第３７８２７９９号明細書；この文献では、磁石がここでも使用される、歯ブラシを保持するための装置が開示されている。
−米国特許出願公開第２０１４／０２６３８８９Ａ１号明細書；この文献では、磁石を用いて器具をその上に固定することができるテーブルに固着するためのトレイ様装置も、開示されている。
【先行技術文献】
【特許文献】
【０００３】
【特許文献１】独国特許出願公開第１９７３７７６８Ａ１号明細書
【特許文献２】独国実用新案２０２０１２１３０６６Ｕ１号明細書
【特許文献３】米国特許第３７８２７９９号明細書
【特許文献４】米国特許出願公開第２０１４／０２６３８８９Ａ１号明細書
【発明の概要】
【発明が解決しようとする課題】
【０００４】
本発明の目的は、これまでに知られているレセプタクルの欠点を克服する、バイアルなどのレセプタクルのためのレセプタクルホルダを提供することである。
【課題を解決するための手段】
【０００５】
この目的を達成するために、請求項１に記載の特徴が設計される。有利な設計は、従属請求項に説明されている。
【０００６】
本発明によるレセプタクルホルダは、Ｕ字形ベース部と、Ｕ字型ベース部の開口部を閉鎖するホルダ部とからなる。これは簡単で魅力的な形態であるという利点を有する。
【０００７】
ホルダ部は、好ましくは、Ｕ字形ベース部とは異なる材料からなり、非鉄材料で作られている。これは磁気的に反応しない材料からなることを意味する。ホルダ部は、少なくとも１つの磁石を備える。磁石の数は、ここでは、このレセプタクルホルダに保持されるレセプタクルの数に対応している。しかし、単一の連続磁石を設けることもでき、それにより、保持されるレセプタクルは、ホルダ部上の定められた点だけでなく、ホルダ部の全延長部分にわたって懸架可能である。ここでは、磁石の結果として、保持されるレセプタクルの簡単かつ迅速な収納性が達成されることが有利である。
【０００８】
磁石は、ホルダ部の、Ｕ字形ベース部の方向に下方向を指す側面に配置される。ここでは、保持されるレセプタクルを、ベース部のＵ字プロファイルによってそのままの状態で保護して、収納し、取り外すことができることが有利である。
【０００９】
保持されるレセプタクルは、２つの要素、すなわちバイアルおよび閉鎖部からなる。これらは、好ましくは流体のためのレセプタクルであるが、グラファイト粉末のような粉末を備えるレセプタクルも内容物として可能である。バイアルの形態、サイズおよび材料は、有利には、適合させることができる。これに関して、保持磁石の力が、保持されるレセプタクルの重量に適合されることが重要である。閉鎖部は、バイアルを閉鎖するという利点を有するだけでなく、その形態および色に関して魅力的で機能的な形で設計することもできる。
【００１０】
好ましくは、合計４つのバイアルをレセプタクルホルダ内に保持することができる。ここでは、意図された使用領域の大部分において、レセプタクルホルダが、例えばそれぞれ必要とされる色を良好にカバーし、それにもかかわらず、懸架または取り外しのための簡単な取り扱いを可能にし、そうであっても、依然として輸送中も取り扱うことができることが、確定的となっている。
【００１１】
また、これらのレセプタクルは、例えば、いわゆるブラシボトルであってよいことも、実現される。これらは、ブラシが閉鎖部内に組み込まれるという事実を特徴とする。この組み込まれたブラシは、ブラシボトルが閉状態にあるときにバイアルの内部に延びる。開状態では、閉鎖部はブラシのためのハンドルとして働く。ここでは、ブラシを別々に洗浄する必要がなく、また、例えば、ブラシの中で色の混合が生じないことが有利である。
【００１２】
設けられたレセプタクルの閉鎖部の頂部には、鉄金属が組み込まれる。鉄金属とは、強磁性材料、例えば好ましくは鉄もしくは適切な鉄合金、またはさらにコバルトもしくはニッケル、またはこれらの金属との適切な合金を示す。重要な点は、磁石によって十分な引力を発生させることのみである。
【００１３】
頂部は、閉鎖部の上側中央端部、すなわちバイアルから外方を向く端部を示す。ここでは、頂部が、ホルダ部上の良好な接触のために平坦な面の領域内に設計されているかどうかは重要ではない。これは、平坦な形で、または例えばぴったりとした形でホルダ部の対応する円形くぼみを掴むアーチの最高点内にも設計される。ここでは、そこに組み込まれた鉄金属が、閉鎖部の材料によって完全に包囲されている場合が有利である。閉鎖部の材料は、好ましくはプラスチックまたはプラスチックの混合物であるが、他の材料、例えば木材またはアルミニウムなどの他の非磁性金属をその中に組み込むことも可能である。
【００１４】
閉鎖部に組み込まれた鉄金属を介して、レセプタクルホルダのホルダ部の磁石上の磁気的保持が可能にされる。独立した磁力が鉄金属から放出されないことが重要である。これは、レセプタクルが意図しない形で引き寄せられ、取り扱いに関して重大な不利益をもたらす可能性があることを意味する。ここでは、鉄金属の結果として、固定されるが決定的ではない磁石との連結が作りだされることが有利である。
【００１５】
使用される磁石の強度は、平均充填レベルを含む、それぞれの場合に保持されるレセプタクルの重量に調整される。この調整は、レセプタクルを２〜３ｃｍの距離から、意図された保持点上に事前に引っ張ることができるように設計されている。正確な移流はここでは必要ではないため、取り扱いがかなり容易になり、目の前の仕事の集中を依然として集中させたままにすることができる。これにより、ユーザがレセプタクルをレセプタクルホルダに挿入することが非常に容易になる。レセプタクルが指から滑り落ちてそれらの位置をとるときの特定の触覚体験も有利である。
【００１６】
レセプタクルがホルダ部の磁石によって閉鎖部の頂部にある鉄系磁石を介して意図された位置に保持されている場合、レセプタクル、特にバイアルは他のどのような点においてもレセプタクルホルダと接触しない。バイアルベースとＵ字形ベース部のベースとの間には、数ｍｍから数ｃｍのサイズの自由空間がある。これにより、とりわけ、ユーザによるレセプタクルの簡単な把持が可能になる。そのままの状態で懸架されて収納されるレセプタクルの魅力的に設計された配置は、さらなる利点である。
【００１７】
さらに、好ましい例示的な実施形態では、レセプタクルまたはホルダ部の方向に延びるＵ字形ベース部のベースの表面は、反射される。表面のこの反射は、接着された反射フィルム、またはこの目的を実行する別のコーティングまたはカバーによって実現される。Ｕ字形ベース部のベース上の表面のこの反射効果は、バイアル基部の下側に取り付け、鏡文字で書き込むことができる任意のラベルをより読みやすくする。さらに、反射された表面は、ほこり粒子などの不純物をより容易に検出して、それに応じて除去できるというさらなる利点を提供する。
【００１８】
さらに、Ｕ字形ベース部の反射ベースは、側面に向かって先細になるアームよりも広い。Ｕ字形ベース部のベースの幅は、Ｕ字形ベース部のベースの表面の、Ｕ字形プロファイルの２つのアームへの移行部を形成しない対向する縁部間の距離を示す。この形態は、レセプタクルホルダの安定性を向上させる。
【００１９】
さらに、Ｕ字形ベース部が、改善された安定性のために滑り止めコーティングを有することが提供され得る。この滑り止めコーティングは、ホルダ部の方を向くＵ字形ベース部の側面に配置される。これは、テーブルのような意図された設置面と接触する側面である。ここでは、Ｕ字形部分は、それぞれの副表面にしっかりと保持されることが有利である。
【００２０】
ホルダ部はさらに保持凹部を有する。これらの保持凹部は、設置面に対して垂直に配置されたホルダ部の側壁上の溝様凹部である。ホルダ部の側壁には、ゴムで補強されたコーティングなどの滑り止めコーティングも装備される。
【００２１】
このコーティングの後ろで、別の磁石、または必要であれば、ホルダ部の側面の全長にわたって伸びる追加の磁石も組み込まれることが重要である。これにより、上述したレセプタクルの保持に加えて、別の物体を保持凹部上に保持することが可能になる。これのための前提条件は、ブラシまたは穿孔および研磨用アタッチメントなどの医療器具などの別の物体が、鉄金属を含むか、または鉄金属からなることである。
【００２２】
これらの付加的な保持凹部は、短時間使用されないブラシまたは医療器具をさらなる使用のためにそこに配置および保持することができ、したがってテーブルまたはトレイ上に置く必要がないというさらなる利点をもたらす。
【００２３】
この結果、ワークステーションにおける状況が明確になり、使用された機器を不注意に置くことによって汚すことがなく、または収納面が汚れないようにすることを確実にすることも助ける。
【００２４】
レセプタクルホルダの適用領域は、特に歯科技術研究所の分野、およびそこで使用されるレセプタクルおよび器具にある。しかし、同様の目的の使用によって特徴付けられる他の領域においても同様の使用が考慮されてよい可能性もある。
【００２５】
本発明のさらなる利点、特徴および詳細は、以下の好ましい例示的な実施形態の説明から、図を参照して生じる。
【図面の簡単な説明】
【００２６】
【図１】３つのレセプタクル２のために設計されたレセプタクルホルダ１上への側方からの斜視図である。
【発明を実施するための形態】
【００２７】
図１は、この例示的な実施形態では、３つのレセプタクル２のために設計されたレセプタクルホルダ１を示している。
【００２８】
レセプタクルホルダ１は、Ｕ字形ベース部５からなる。このＵ字形ベース部５は、開口側に対向する側面に幅ｘを有する広くなったベースを有する。この幅ｘは、互いに対向して配置されたＵ字形ベース部５の２つの先細にされたアームの幅ｙよりも大きい。
【００２９】
ホルダ部６の方向を指すＵ字形ベース部の基部の表面９は、反射性である。これは、この表面９上に、反射を可能にする反射フィルムまたは他のコーティングが施されることを意味する。
【００３０】
Ｕ字形ベース部５の開口部、すなわち表面９に対向して配置された開放側は、ホルダ部６によって閉じられる。
【００３１】
この実施形態では、このホルダ部６は、３つのレセプタクル２を保持するために少なくとも３つの磁石を備える。磁石は、表面９の方を向くホルダ部の第１の側面７上に配置される。
【００３２】
レセプタクル２は、２つの要素、すなわちバイアル３および閉鎖部４からなる。閉鎖部４の頂部には、鉄金属が組み込まれており、それにより、閉鎖部４を介してレセプタクル２をホルダ部６の磁石上に配置することができる。頂部は、バイアル３から最大の距離を有し、バイアル３の方を向く側面に配置された各閉鎖部４の点を示す。
【００３３】
さらに、ホルダ部６の第１の側面７とＵ字形ベース部５の表面９との間の距離は、レセプタクル２の全長よりも長い。レセプタクル２の全長は、バイアル３の基部と閉鎖部４の頂部との間の距離によって規定される。
【００３４】
ホルダ部６は、別の側面１０にいくつかの保持凹部８を有する。これらの保持凹部８は、ブラシまたは他の医療器具などのさらなる物体を保持する働きをする。
【００３５】
別の側面１０は、滑り止め材料で覆われている。この例示的な実施形態では、別の側面１０は、ゴムで補強されている。
【００３６】
ここでは、保持凹部８は、ホルダ部６の別の側面１０の反対側に位置する側面にも配置され、図１で使用されている描写では見ることはできない。
【符号の説明】
【００３７】
１  レセプタクルホルダ
２  レセプタクル
３  バイアル
４  閉鎖部
５  Ｕ字形ベース部
６  ホルダ部
７  第１の側面
８  ホルダ凹部
９  表面
１０  別の側面
ｘ  ベースの幅
ｙ  先細にされたアームの幅
【図１】
2019527167.tif 000003
【国際調査報告】
2019527167.tif 000004
2019527167.tif 000005
2019527167.tif 000006
2019527167.tif 000007
2019527167.tif 000008
2019527167.tif 000009